(57)【要約】【課題】  座標入力装置を必要とせずに、赤目部分を補正することができ、また、ユーザが指定した位置に存在している赤目部分を正しく補正することができ、さらに、蛍光特性インクを使用せずに、赤目位置を検出することができるようにする。【解決手段】  ユーザに指定されたデジタル画像における補正候補箇所を、所定の手法によって検出し、上記指定されたデジタル画像から、輪郭を抽出し、この抽出された輪郭に基づいて、モノクロ化した下絵を生成し、上記補正候補個所検出手段が検出した所定の補正候補箇所に、補正候補個所であることを示す所定の目印を合成することによって目印付き下絵を作成し、上記目印付き下絵と所定のマークシートデータとを印刷することによってマークシート用紙を作成する画像記録装置である。【選択図】  図１
2006345084.tif 000002
【特許請求の範囲】
【請求項１】
デジタルカメラで撮影したデジタル画像が格納されている記録媒体から上記デジタル画像を読み出し、上記デジタル画像を直接記録媒体に出力する画像記録装置において、
複数の上記デジタル画像から、所望のデジタル画像を、ユーザが指定する画像指定手段と；
上記指定されたデジタル画像における補正候補箇所を、所定の手法によって検出する補正候補個所検出手段と；
上記指定されたデジタル画像から、輪郭を抽出し、この抽出された輪郭に基づいて、モノクロ化した下絵を生成する下絵生成手段と；
上記補正候補個所検出手段が検出した所定の補正候補箇所に、補正候補個所であることを示す所定の目印を合成することによって目印付き下絵を作成する目印付き下絵作成手段と；
上記目印付き下絵と所定のマークシートデータとを印刷することによってマークシート用紙を作成するマークシート用紙作成手段と；
を有することを特徴とする画像記録装置。
【請求項２】
請求項１において、
上記作成されたマークシート用紙を読み取る画像読取手段と；
上記読み取った画像から、所定の位置にマークが塗られていることを検出するマーク検出手段と；
上記検出したマーク位置にのみ、所定の補正処理を実行する補正処理実行手段と；
上記補正処理実行手段が実行した補正処理に基づいて、上記ユーザが指定したデジタル画像を印刷する印刷手段と；
を有することを特徴とする画像記録装置。
【請求項３】
請求項１において、
上記所定の補正処理は、赤目補正処理または美肌補正処理であることを特徴とする画像記録装置。
【請求項４】
請求項１において、
上記マークシートは、上記目印付き下絵と、上記目印付き下絵に対応する上記デジタル画像とが並置して印刷されているシートであることを特徴とする画像記録装置。
【請求項５】
請求項１において、
上記所定の目印は、枠線、網掛け、×印、丸印、四角印、三角印のうちの少なくとも１つであることを特徴とする画像記録装置。
【請求項６】
デジタルカメラで撮影したデジタル画像が格納されている記録媒体から上記デジタル画像を読み出し、上記デジタル画像を直接記録媒体に出力する画像記録方法において、
複数の上記デジタル画像から、ユーザが指定したデジタル画像における補正候補箇所を、所定の手法によって検出し、記憶装置に記憶する補正候補個所検出工程と；
上記指定されたデジタル画像から、輪郭を抽出し、この抽出された輪郭に基づいて、モノクロ化した下絵を生成し、記憶装置に記憶する下絵生成工程と；
上記補正候補個所検出工程で検出された所定の補正候補箇所に、補正候補個所であることを示す所定の目印を合成することによって、目印付き下絵を作成し、記憶装置に記憶する目印付き下絵作成工程と；
上記目印付き下絵と所定のマークシートデータとを印刷することによってマークシート用紙を作成するマークシート用紙作成工程と；
を有することを特徴とする画像記録方法。
【請求項７】
請求項６において、
上記作成されたマークシート用紙を読み取る画像読取工程と；
上記読み取った画像から、所定の位置にマークが塗られていることを検出するマーク検出工程と；
上記検出したマーク位置にのみ、所定の補正処理を実行する補正処理実行工程と；
上記補正処理実行工程が実行した補正処理に基づいて、上記ユーザが指定したデジタル画像を印刷する印刷工程と；
を有することを特徴とする画像記録方法。
【請求項８】
請求項６において、
上記所定の補正処理は、赤目補正処理または美肌補正処理であることを特徴とする画像記録方法。
【請求項９】
請求項６において、
上記マークシートは、上記目印付き下絵と、上記目印付き下絵に対応する上記デジタル画像とが並置して印刷されているシートであることを特徴とする画像記録方法。
【請求項１０】
請求項６において、
上記所定の目印は、枠線、網掛け、×印、丸印、四角印、三角印のうちの少なくとも１つであることを特徴とする画像記録方法。
【請求項１１】
デジタルカメラで撮影したデジタル画像が格納されている記録媒体から上記デジタル画像を読み出し、上記デジタル画像を直接記録媒体に出力するプログラムにおいて、
複数の上記デジタル画像から、ユーザが指定したデジタル画像における補正候補箇所を、所定の手法によって検出し、記憶装置に記憶する補正候補個所検出手順と；
上記指定されたデジタル画像から、輪郭を抽出し、この抽出された輪郭に基づいて、モノクロ化した下絵を生成し、記憶装置に記憶する下絵生成手順と；
上記補正候補個所検出手順で検出された所定の補正候補箇所に、補正候補個所であることを示す所定の目印を合成することによって、目印付き下絵を作成し、記憶装置に記憶する目印付き下絵作成手順と；
上記目印付き下絵と所定のマークシートデータとを印刷することによってマークシート用紙を作成するマークシート用紙作成手順と；
をコンピュータに実行させるプログラム。
【発明の詳細な説明】
【技術分野】
【０００１】
本発明は、デジタル画像処理装置と、上記デジタル画像処理装置を備えた画像記録装置とに係り、特に、デジタルカメラで撮影したデジタル画像が格納されている記録媒体を直接接続することが可能であり、接続されている記録媒体からデジタル画像を読み出し、上記デジタル画像を直接印刷するデジタル画像処理装置に関する。
【０００２】
また、本発明は、記録媒体に記録されているデジタル画像を一意に指定するための表示手段を有し、さらに、上記デジタル画像内から赤目と思われる箇所を検出することが可能であり、そして、この検出した赤目候補のうちで、ユーザが指定した箇所の赤目候補のみを補正する手段を有する画像記録装置に関する。
【背景技術】
【０００３】
密着型イメージセンサ（ＣＩＳ）によって、原稿画像を読み取り、パーソナルコンピュータにデジタル画像を出力するスキャナと、パーソナルコンピュータからのデジタル画像を記録紙に記録するプリンタとを一体化したマルチファンクションプリンタが、知られている。
【０００４】
この種のマルチファンクションプリンタは、上記スキャナとプリンタとが１つの筐体内に配置され、また、スキャナとプリンタとの駆動源が１つのモータ（たとえばステッピングモータ）で構成されている。そして、複写機能、イメージスキャニング機能を有し、複写動作時に、原稿を読み取る場合、プリンタ部の駆動系も同時に起動する。
【０００５】
たとえば、複写動作時には、スキャナの密着型イメージセンサを、上記駆動源によって駆動し、画像を読み取り、この読取完了後に、読み取った画像を印刷可能なデータに、内部的に変換し、プリンタエンジン部が画像印字動作を行う。
【０００６】
また、近年、撮影結果としての画像をデジタル画像に変換し、この変換されたデジタル画像を、コンパクトフラッシュ（登録商標）カード等の記録媒体に格納するデジタルカメラが普及し、パーソナルコンピュータを介さずに、上記デジタル画像を印刷するために、上記コンパクトフラッシュ（登録商標）カード等が装着可能であり、デジタル画像を記録処理する際の操作が簡単であり、電源オンでデジタル画像を印刷するための処理動作が起動されるデジタル画像処理装置とプリンタとが一体化したカードダイレクト印刷装置が考案されている。
【０００７】
さらに、上記カードダイレクト装置の機能と、上記マルチファンクションプリンタの機能とを１つの筐体内に構成したマルチファンクションプリンタも考案されている。
【０００８】
ところで、上記デジタルカメラで撮影した際に、被写体周辺が暗い場合にフラッシュを用いて人物を撮影するときに、目の瞳孔部分が赤く撮影されるいわゆる赤目現象がしばしば発生する。この赤目現象は、周囲が暗いために目の瞳孔が開き、フラッシュの光が、瞳孔を通して網膜で反射し、カメラへ到達することによって生じ、特に、上記デジタルカメラが、携帯性のために小型化したことによって、撮影レンズの光軸とフラッシュの光軸とが接近したので、赤目現象が発生し易い。
【０００９】
上記赤目撮影された画像において、片目または両目を含む領域をユーザが指示することによって、領域内の赤目個数を自動判別し、位置を検出し、修正することができる装置が考案されている（たとえば、特許文献１参照）。
【００１０】
また、写真プリント上に蛍光特性インクを使用し、修正すべき赤目の位置指定を行う入力手段を有する装置が考案されている（たとえば、特許文献２参照）。
【特許文献１】特開平０９−３２２１９２号公報
【特許文献２】特開平０９−０４４６９１号公報
【発明の開示】
【発明が解決しようとする課題】
【００１１】
しかし、上記特許文献１記載の従来例では、ユーザが任意の位置を指定する場合、座標入力装置を使用せざるを得ないという問題があり、しかも、赤目検出アルゴリズムにもよるが、ユーザが指定した位置に存在している赤目部分を正しく検出、補正することができない可能性があるという問題がある。
【００１２】
たとえば、極端な例として、赤目ではない箇所を、ユーザが指定した場合、不都合が発生するという問題がある。
【００１３】
上記特許文献２記載の従来例では、蛍光特性インクで塗られている箇所を検出することが困難であるという問題があり、また、上記のように、ユーザが任意の箇所を指定すると、不都合が発生するという問題がある。
【００１４】
本発明は、座標入力装置を必要とせずに、赤目部分を補正することができ、また、ユーザが指定した位置に存在している赤目部分を正しく補正することができ、さらに、蛍光特性インクを使用せずに、赤目位置を検出することができる画像記録装置、画像記録方法およびプログラムを提供することを目的とするものである。
【課題を解決するための手段】
【００１５】
本発明は、デジタルカメラで撮影したデジタル画像が格納されている記録媒体から上記デジタル画像を読み出し、上記デジタル画像を直接記録媒体に出力する画像記録装置において、複数の上記デジタル画像から、所望のデジタル画像を、ユーザが指定する画像指定手段と、上記指定されたデジタル画像における補正候補箇所を、所定の手法によって検出する補正候補個所検出手段と、上記指定されたデジタル画像から、輪郭を抽出し、この抽出された輪郭に基づいて、モノクロ化した下絵を生成する下絵生成手段と、上記補正候補個所検出手段が検出した所定の補正候補箇所に、補正候補個所であることを示す所定の目印を合成することによって目印付き下絵を作成する目印付き下絵作成手段と、上記目印付き下絵と所定のマークシートデータとを印刷することによってマークシート用紙を作成するマークシート用紙作成手段とを有する画像記録装置である。
【発明の効果】
【００１６】
本発明によれば、座標入力装置を必要とせずに赤目部分を補正することができ、また、ユーザが指定した位置に存在している赤目部分を正しく補正することができ、さらに、蛍光特性インクを使用せずに赤目位置を検出することができるという効果を奏する。
【発明を実施するための最良の形態】
【００１７】
発明を実施するための最良の形態は、次の実施例である。
【実施例１】
【００１８】
図１は、本発明の実施例１であるＭＦＰ（Ｍｕｌｔｉ  Ｆｕｎｃｔｉｏｎ  Ｐｅｒｉｐｈｅｒａｌ：多機能周辺機器）１０を示すブロック図である。
【００１９】
ＭＦＰ１０は、スキャニング機能と、プリンティング機能と、カードダイレクト機能とを併せ持つ画像記録装置の例であり、デジタルカメラで撮影したデジタル画像が格納されている記録媒体から上記デジタル画像を読み出し、上記デジタル画像を直接記録媒体に出力する画像記録装置の例である。また、ＭＦＰ１０は、ＣＰＵ１１と、ＲＯＭ１２と、プリンタエンジン１３と、ＳＲＡＭ１４と、ＤＲＡＭ１５と、ＰＣ  Ｉ／Ｆ１６と、イメージプロセッサ１８と、イメージセンサ１９と、操作パネル２０と、ディスプレイ２１と、カードスロット２２とを有する。
【００２０】
ＣＰＵ１１は、ＭＦＰ１０のシステム制御部であり、ＭＦＰ１０の全体を制御し、ＲＯＭ１２に格納されている制御プログラムに基づいて、ＭＦＰ１０に関する各種動作を実行する。
【００２１】
ＲＯＭ１２は、ＭＦＰ１０のシステム制御プログラムを格納し、ＣＰＵ１１の制御プログラムは、ＲＯＭ１２に格納されているものに限らず、フロッピー（登録商標）ディスクやＣＤ−ＲＯＭ等による外部の記憶媒体に記憶されているものでもよく、これを専用の読取装置によって、ＭＦＰ１０のＲＡＭ（たとえばＳＲＡＭ１４）に取り込み、これをＣＰＵ１１が解読し、実行するようにしてもよい。
【００２２】
プリンタエンジン１３は、入力されたデジタル画像を、所定の記録紙に印字するものである。
【００２３】
ＳＲＡＭ１４は、主に、ＭＦＰ１０の登録データ等を格納するメモリであり、ＤＲＡＭ１５は、主に、画像データを格納するものである。
【００２４】
ＰＣ  Ｉ／Ｆ１６は、ＭＦＰ１０とパーソナルコンピュータ３０とを接続するインタフェースであり、パーソナルコンピュータ３０は、これを介してＭＦＰ１０の各種設定データ変更や各種動作の起動要求を行うことのできるホストコンピュータである。
【００２５】
イメージプロセッサ１８は、イメージセンサ１９が入力した画像データに各種画像処理を施す。イメージセンサ１９は、いわゆるスキャナユニットであり、原稿上の画像を読み取る接触型読み取りセンサ等の画像読取手段である。
【００２６】
操作パネル２０は、ＭＦＰ１０の状態等を表示するディスプレイ２１を有し、オペレータからの動作指示を入力し、各種データを登録し、またディスプレイ２１を通じて、ＭＦＰ１０の状態を確認するためのものである。
【００２７】
カードスロット２２は、メモリカード４０を接続するためのインタフェースであり、メモリカード４０を接続した状態では、ユーザは、操作パネル２０とディスプレイ２１とを介して、メモリカード４０内に保存されているデジタル画像から、任意の画像を選択することができる。
【００２８】
ユーザに選択されたデジタル画像は、ＣＰＵ１１によって解析され、プリンタエンジン１３によって印刷される。このときに、ＤＲＡＭ１５は、印刷用のバッファとして使用する。また、印刷スピードを向上させるために、上記デジタル画像の全てをＤＲＡＭ１５に取り込むようにしてもよい。
【００２９】
図２は、実施例１で使用するマークシート用紙５０を示す図である。
【００３０】
マークシート用紙５０には、デジタル画像表示領域５１と、目印付き下絵表示領域５２と、マークシートデータ記入領域５３とを有する。
【００３１】
デジタル画像表示領域５１は、本来印刷するデジタル画像（原画像）を表示する領域であり、目印付き下絵表示領域５２は、デジタル画像（原画像）から検出した赤目位置（赤目候補として検出した位置）を矩形の枠線等の目印で示す領域であり、マークシートデータ記入領域５３は、所定の補正処理を行なう場所として特定するために、ユーザがマークを記入する領域である。
【００３２】
実施例１では、最初に、ユーザは、赤目補正をしたいデジタル画像を選び、ユーザが指定したデジタル画像における補正候補箇所を、所定の手法によって検出し、上記補正候補個所を記憶装置に記憶し、上記選択されたデジタル画像から、輪郭を抽出し、この抽出された輪郭に基づいて、モノクロ化した下絵を生成し、記憶装置に記憶し、上記検出された所定の補正候補箇所に、補正候補個所であることを示す所定の目印を合成し、記憶装置に記憶することによって目印付き下絵を作成する。
【００３３】
そして、赤目補正を行なわせる位置を特定するためのマークシート用紙５０を印刷し、この印刷した用紙の所望の位置にユーザがマークを記入し、記入済みのマークシート用紙５０をスキャナユニット（イメージセンサ１９）から読み取り、ユーザが記入したマークの位置に対応する画像に赤目補正処理を実行し、上記ユーザが指定したデジタル画像を印刷する。この手順によって、赤目補正をした画像を印刷することができる。
【００３４】
次に、マークシート用紙５０を印刷するためにユーザが実行する操作を説明する。
【００３５】
［操作１］：操作パネル２０の左右キーを操作し、ディスプレイ２１上に表示されている各種印刷モードから、「赤目補正モード」を選択する。
【００３６】
［操作２］：上記［操作１］で「赤目補正モード」を選択すると、ディスプレイ２１上には、画像を選択する旨が表示される。実施例１では、２行のテキストデータのみを表示するディスプレイを使用しているので、デジタルカメラで、一般的なＤＣＦ番号をディスプレイ２１に表示し、操作パネル２０上の左右キーを用いて、ユーザが任意の画像番号を選択することができる。
【００３７】
［操作３］：ユーザが任意の画像番号を選択し、操作パネル２０上のＯＫキーを押下する。
【００３８】
［操作４］：図２に示すマークシート用紙５０を印刷し、ディスプレイ２１には、「ヨウシヲセットシテＯＫヲオス」が表示され、操作パネル２０上のＯＫキー押下待ち状態になる。
【００３９】
上記［操作１］〜［操作４］を実行することによって、図２に示すマークシート用紙５０が印刷される。
【００４０】
また、マークシート用紙５０の左上に、デジタル画像表示領域５１が設けられ、マークシート用紙５０の右上に、検出した赤目位置を示す四角形の枠線である目印が付けられている目印付き下絵表示領域５２が設けられ、これら２つの領域５１、５２の下に、ユーザがマークを記入する（塗りつぶす）マークシートデータ記入領域５３が設けられている。
【００４１】
デジタル画像表示領域５１に印刷される内容は、ＭＦＰ１０において赤目の補正が行なわれていないデジタル画像（原画像）であって、メモリカード４０内に記録されているデジタル画像である。
【００４２】
目印付き下絵表示領域５２に印刷される画像は、ＭＦＰ１０で所定の手法（たとえば赤信号成分のみが存在している箇所を抽出することによって）赤目を検出した位置を、赤色の矩形の枠線（目印）で示す画像であり、赤色の矩形の枠線が、デジタル画像に合成されている。この場合、本来のデジタル画像には、あらゆる色が含まれている可能性があるので、赤色の矩形の枠線が非常に認識しにくい場合がある。これに備えて、赤目候補の矩形を合成すべき画像（目印付き下絵表示領域５２に表示されている画像）は、デジタル画像から色成分を敢えて削除した下絵（画像）である。つまり、本来の画像をモノクロデータにした後に、赤目候補を示す矩形の枠線を合成する。
【００４３】
また、実施例１の赤目検出アルゴリズムは、ＲＯＭ１２やＤＲＡＭ１５が小さくて済むようなアルゴリズムを用いている。このために、赤目ではない箇所が、赤目として検出される場合がある。このように、デジタル画像と、検出した赤目候補とを合成した画像を、左右に並べて印刷することによって、赤目が正しく検出されている箇所を、ユーザが容易に確認することができる。なお、目印付き下絵のみを表示し、デジタル画像を表示しなくてもよい。
【００４４】
マークシートデータ記入領域５３には、目印付き下絵表示領域５２に印刷されている赤目候補の矩形の枠線に基づいて、ユーザが補正することを望む番号のマークを塗りつぶすためのマーク欄を印刷する。
【００４５】
任意の赤目位置がマークされているマークシート用紙５０を、スキャナユニット（イメージセンサ１９）が読み取ると、マークシートデータ記入領域５３に記載されているマーク内容に基づいて、イメージプロセッサ１８が、塗りつぶされたマーク位置を検出し、対応する赤目候補のみを補正する。
【００４６】
マークシート用紙５０は、本来印刷するデジタル画像を表示するデジタル画像表示領域５１と、検出した赤目位置を示す目印付き下絵を表示する目印付き下絵表示領域５２と、ユーザがマークを記入するマークシートデータ記入領域５３との３つの領域によって構成されているが、たとえば、検出した全ての赤目候補について、赤目補正を行なった画像を、デジタル画像（原画像）とともに印刷するようにしてもよく、このようにすれば、補正前後の印刷結果を比較することができる。
【００４７】
実施例１は、赤目の候補を自動的に検出し、ユーザが補正することを望む箇所を、マークシートに記入する実施例であるが、赤目補正を簡便に行う場合に限らず、装置単体で検出可能ではあるが、その誤検知率を０にすることができないために、ユーザに補正すべき箇所を指示してもらう必要がある場合にも、上記実施例を適用することができる。
【００４８】
また、上記所定の補正処理として、赤目補正処理の代わりに、美肌補正処理を行うようにしてもよい。美肌処理するに際して、指定されたデジタル画像における補正候補箇所を所定の手法によって検出する補正候補個所検出手段が、ほくろ、しみ、そばかす、あざ等を検出する場合、黒、茶色等の色成分を検出し、この検出された部位を、補正候補箇所として表示する。
【００４９】
なお、実施例１に記載されている構成要素の相対配置、表示画面等について、特定的な記載がない限り、それらに限定されるものではない。
【００５０】
また、操作パネル２０は、複数の上記デジタル画像から、所望のデジタル画像を、ユーザが指定する画像指定手段の例である。
【００５１】
ＣＰＵ１１とＲＯＭ１２とイメージプロセッサ１８とは、指定されたデジタル画像における補正候補箇所を、所定の手法によって検出する補正候補個所検出手段の例であり、また、上記指定されたデジタル画像から、輪郭を抽出し、この抽出された輪郭に基づいて、モノクロ化した下絵を生成する下絵生成手段の例であり、さらに、上記補正候補個所検出手段が検出した所定の補正候補箇所に、補正候補個所であることを示す所定の目印を合成することによって目印付き下絵を作成する目印付き下絵作成手段の例であり、そして、上記目印付き下絵と所定のマークシートデータとを印刷することによってマークシート用紙を作成するマークシート用紙作成手段の例である。
【００５２】
イメージセンサ１９は、上記作成されたマークシート用紙を読み取る画像読取手段の例である。
【００５３】
ＣＰＵ１１とＲＯＭ１２とイメージセンサ１９とイメージプロセッサ１８とは、上記読み取った画像から、所定の位置にマークが塗られていることを検出するマーク検出手段の例であり、また、上記検出したマーク位置にのみ、所定の補正処理を実行する補正処理実行手段の例である。
【００５４】
プリンタエンジン１３は、上記補正処理実行手段が実行した補正処理に基づいて、上記ユーザが指定したデジタル画像を印刷する印刷手段の例である。
【００５５】
上記所定の目印として、枠線の代わりに、網掛け、×印、丸印、四角印、三角印のうちの少なくとも１つを使用するようにしてもよい。
【００５６】
また、上記実施例をプログラムの発明として把握することができる。つまり、上記実施例は、デジタルカメラで撮影したデジタル画像が格納されている記録媒体から上記デジタル画像を読み出し、上記デジタル画像を直接記録媒体に出力するプログラムにおいて、複数の上記デジタル画像から、ユーザが指定したデジタル画像における補正候補箇所を、所定の手法によって検出し、記憶装置に記憶する補正候補個所検出手順と、上記指定されたデジタル画像から、輪郭を抽出し、この抽出された輪郭に基づいて、モノクロ化した下絵を生成し、記憶装置に記憶する下絵生成手順と、上記補正候補個所検出手順で検出された所定の補正候補箇所に、補正候補個所であることを示す所定の目印を合成することによって、目印付き下絵を作成し、記憶装置に記憶する目印付き下絵作成手順と、上記目印付き下絵と所定のマークシートデータとを印刷することによってマークシート用紙を作成するマークシート用紙作成手順とをコンピュータに実行させるプログラムの例である。
【図面の簡単な説明】
【００５７】
【図１】本発明の実施例１であるＭＦＰ（Ｍｕｌｔｉ  Ｆｕｎｃｔｉｏｎ  Ｐｅｒｉｐｈｅｒａｌ：多機能周辺機器）１０を示すブロック図である。
【図２】実施例１で使用するマークシート用紙５０を示す図である。
【符号の説明】
【００５８】
１０…ＭＦＰ、
１１…ＣＰＵ、
１２…ＲＯＭ、
１３…プリンタエンジン、
１８…イメージプロセッサ、
１９…イメージセンサ、
２０…操作パネル、
２１…ディスプレイ、
２２…カードスロット、
３０…パーソナルコンピュータ、
４０…メモリカード。
【図１】
2006345084.tif 000003
【図２】
2006345084.tif 000004
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
デジタル画像を記録媒体に出力する画像記録装置において、
複数の上記デジタル画像から、所望のデジタル画像を、ユーザが指定する画像指定手段と；
上記指定されたデジタル画像における補正候補箇所を検出する補正候補個所検出手段と；
上記指定されたデジタル画像から、輪郭抽出に基づいて下絵を生成する下絵生成手段と；
上記補正候補個所検出手段が検出した補正候補箇所に、補正候補個所であることを示す目印が合成されている目印付き下絵を作成する目印付き下絵作成手段と；
上記目印付き下絵とマークシートデータとを印刷することによってマークシート用紙を作成するマークシート用紙作成手段と；
を有することを特徴とする画像記録装置。
【請求項２】
請求項１において、
上記作成されたマークシート用紙を読み取る画像読取手段と；
上記読み取った画像から、マークが塗られている位置を検出するマーク検出手段と；
上記検出したマーク位置にのみ、所定の補正処理を実行する補正処理実行手段と；
上記補正処理実行手段が実行した補正処理に基づいて、上記ユーザが指定したデジタル画像を印刷する印刷手段と；
を有することを特徴とする画像記録装置。
【請求項３】
請求項１において、
上記補正処理は、赤目補正処理または美肌補正処理であることを特徴とする画像記録装置。
【請求項４】
請求項１において、
上記マークシートは、上記目印付き下絵と、上記目印付き下絵に対応する上記デジタル画像とが並置して印刷されているシートであることを特徴とする画像記録装置。
【請求項５】
請求項１において、
上記目印は、枠線、網掛け、×印、丸印、四角印、三角印のうちの少なくとも１つであることを特徴とする画像記録装置。
【請求項６】
デジタル画像を直接記録媒体に出力する画像記録方法において、
複数の上記デジタル画像から、ユーザが指定したデジタル画像における補正候補箇所を検出する補正候補個所検出工程と；
上記指定されたデジタル画像から、輪郭抽出に基づいて下絵を生成する下絵生成工程と；
上記補正候補個所検出工程で検出された補正候補箇所に、補正候補個所であることを示す目印を合成することによって、目印付き下絵を作成する目印付き下絵作成工程と；
上記目印付き下絵と所定のマークシートデータとを印刷することによってマークシート用紙を作成するマークシート用紙作成工程と；
を有することを特徴とする画像記録方法。
【請求項７】
請求項６において、
上記作成されたマークシート用紙を読み取る画像読取工程と；
上記読み取った画像から、マークが塗られている位置を検出するマーク検出工程と；
上記検出したマーク位置にのみ、所定の補正処理を実行する補正処理実行工程と；
上記補正処理実行工程が実行した補正処理に基づいて、上記ユーザが指定したデジタル画像を印刷する印刷工程と；
を有することを特徴とする画像記録方法。
【請求項８】
請求項６において、
上記所定の補正処理は、赤目補正処理または美肌補正処理であることを特徴とする画像記録方法。
【請求項９】
請求項６において、
上記マークシートは、上記目印付き下絵と、上記目印付き下絵に対応する上記デジタル画像とが並置して印刷されているシートであることを特徴とする画像記録方法。
【請求項１０】
請求項６において、
上記所定の目印は、枠線、網掛け、×印、丸印、四角印、三角印のうちの少なくとも１つであることを特徴とする画像記録方法。
【請求項１１】
デジタル画像を記録媒体に出力するプログラムにおいて、
複数の上記デジタル画像から、ユーザが指定したデジタル画像における補正候補箇所を検出する補正候補個所検出手順と；
上記指定されたデジタル画像から、輪郭抽出に基づいて下絵を生成する下絵生成手順と；
上記補正候補個所検出手順で検出された補正候補箇所に、補正候補個所であることを示す所定の目印を合成することによって、目印付き下絵を作成する目印付き下絵作成手順と；
上記目印付き下絵と所定のマークシートデータとを印刷することによってマークシート用紙を作成するマークシート用紙作成手順と；
をコンピュータに実行させるプログラム。
【手続補正２】
【補正対象書類名】明細書
【補正対象項目名】００１５
【補正方法】変更
【補正の内容】
【００１５】
本発明は、デジタル画像を記録媒体に出力する画像記録装置において、複数の上記デジタル画像から、所望のデジタル画像を、ユーザが指定する画像指定手段と、上記指定されたデジタル画像における補正候補箇所を検出する補正候補個所検出手段と、上記指定されたデジタル画像から、輪郭抽出に基づいて下絵を生成する下絵生成手段と、上記補正候補個所検出手段が検出した補正候補箇所に、補正候補個所であることを示す目印が合成されている目印付き下絵を作成する目印付き下絵作成手段と、上記目印付き下絵とマークシートデータとを印刷することによってマークシート用紙を作成するマークシート用紙作成手段とを有する画像記録装置である。